(57)【要約】【課題】着座者の動きに追従して左右にスイングする椅子において、スイング機能を有することを人に知らしめて着座後の使用者の戸惑いを無くすと共に、スイング角度を正確に規定して、安全かつメリハリの利いたスイング動を実現する。【解決手段】椅子は座１と脚２とを備えており、脚２は、下部枠体６と支柱７とを備えている。下部枠体６のフロントメンバー６ａとリアメンバー６ｃとを下向き凸に曲げることにより、椅子全体として左右にスイングすることが許容されている。フロントメンバー６ａの左右端部に、球状等のストッパー１２を目立つ状態で設けている。ストッパー１２は床から浮いているため、初めて見る人も、椅子がスイング機能を有することを把握できる。スイング動がストッパー１２によって規定されるため、惰性による動きをなくして安全であると共に、メリハリの利いた動きを実現できる。【選択図】図４
2020039985.tif 000002
【特許請求の範囲】
【請求項１】
座とこれを支持する脚とを備えており、前記脚の下端面を、左右中間部に頂点が位置した正面視下向き凸状に形成することにより、前記座と脚とが一体になって左右にスイングできる構成であって、
前記脚の下端面の左右両側部に、床に当接するストッパーを下向きに突設している、
椅子。
【請求項２】
前記脚のうち床に載る下端部は、左右横長のフロントメンバーと、その左右両端から後ろ向きに延びる左右サイドメンバーとを有しており、前記ストッパーは、前記フロントメンバーとサイドメンバーとが連接したコーナー部かその近傍に、人目に触れるように露出した状態で配置されている、
請求項１に記載した椅子。
【請求項３】
前記ストッパーのうち少なくとも下面は丸みを帯びた曲面に形成されている、
請求項１又は２に記載した椅子。
【請求項４】
前記ストッパーは、前記脚に設けたボルト又はナットにねじ込みによって取付けられている、
請求項１〜３のうちのいずれかに記載した椅子。
【発明の詳細な説明】
【技術分野】
【０００１】
本願発明は、着座者が上半身を左右に動かす（揺する）ことに追従して左右にスイングできる椅子に関するものである。
【背景技術】
【０００２】
椅子は一般に床上に安定して載るようになっているが、脚の下端面（接地面）を正面視で下向き凸状に形成することにより、着座者の左右動に追従して左右にスイングする椅子があり、本願出願人は、その一バージョンとして、座面が着座者の身体（臀部や大腿部）の丸みに倣うように、座面を下向きに凹ませた構成を特許文献１に開示した。
【先行技術文献】
【特許文献】
【０００３】
【特許文献１】特願２０１７−９７３５３
【発明の概要】
【発明が解決しようとする課題】
【０００４】
近年、オフィスでのワーカーの健康管理の重要性が指摘されており、従って、運動具としての機能を有して気分転換や血行促進に貢献できるスイング式の椅子をオフィスで有効活用できると、ワーカーにとっても管理者にとっても有益であるが、特許文献１のように座面を凹ませると、使用者の身体の安定性に優れると共に視覚的にも座りやすいというイメージがあるため、オフィスでも違和感なく使用できて、使用範囲を広げることができるといえる。
【０００５】
また、幼児用や老人用の椅子として前後に揺動する椅子は古くから存在するが、着座者がアクティブに左右スイングさせ得る椅子は斬新であり、意外性や一種の遊び心によって周囲の環境を柔らかくすることができる効果も有しており、この面でも、オフィスの環境や商談等の環境の向上に貢献できるといえる。
【０００６】
このように、スイング式の椅子は優れた効果を備えているが、例えば、各種施設の窓口に設置している椅子のように不特定の人が使用する椅子として使用する場合、スイング機能を知らない人が初めて接すると、身体の動きによって椅子が傾くことで戸惑いを与えることが懸念される。椅子が傾いても、そのような機能の椅子であることはすぐに理解できるのであるが、使用前の状態でスイング機能を有することを視覚的に把握できると、ユーザーフレンドリーであるといえる。また、惰性による動きを規制してスイング量を規定できると安心である。
【０００７】
本願発明はこのような現状を契機にして成されたものであり、より改良されたスイング式椅子を提供せんとするものである。
【課題を解決するための手段】
【０００８】
本願発明は、請求項１のとおり、座とこれを支持する脚とを備えており、前記脚の下端面を、左右中間部に頂点が位置した正面視下向き凸状に形成することにより、前記座と脚とが一体になって左右にスイングできる構成であって、前記脚の下端面の左右両側部に、床に当接するストッパーを下向きに突設している。
【０００９】
本願発明は、様々に展開することができる。その好適な例として、請求項２では、請求項１において、前記脚のうち床に載る下端部は、左右横長のフロントメンバーと、その左
右両端から後ろ向きに延びる左右サイドメンバーとを有しており、前記ストッパーは、前記フロントメンバーとサイドメンバーとが連接したコーナー部かその近傍に、人目に触れるように露出した状態で配置されている。
【００１０】
また、請求項３では、請求項１又は２において、前記ストッパーのうち少なくとも下面は丸みを帯びた曲面に形成されている。請求項４の発明は、請求項１〜３のうちのいずれかにおいて、前記ストッパーは、前記脚に設けたボルト又はナットにねじ込みによって取付けられている。
【００１１】
本願発明では、特許文献１のように、座の上面（座面）を、着座者の臀部及び大腿部がフィットするように（下方から包み込むように）凹ませるのが好ましい。
【発明の効果】
【００１２】
椅子がスイングしたとき、傾ききった状態のときに床に大きな力がモーメントとして作用する。このため、脚の端部が床に直接当たると、床が傷つきやすくなるおそれがあるが、本願発明のようにストッパーを設けると，ストッパーに緩衝機能を持たせることにより、床の傷つきを防止又は抑制可能となる。
【００１３】
また、スイング動がストッパーで規制（規定）されるため、メリハリの利いたスイング動を実現できると共に、使用者が椅子に掛ける力が相違してもスイング量が一定に保持されて、安全である。つまり、下向きのストッパーを設けると、ストッパーが床に当たってから更にスイングさせようとすると、ストッパーを支点にして回動させねばならないが、これには非常に大きな運動エネルギが必要になるため、通常の使用状態では、身体を揺する運動エネルギの大きさが相違してもスイング量が正確に規定されるのであり、従って、惰性で過剰にスイングしてしまうようなことはない。
【００１４】
なお、使用者の意思によって、非常に大きな加速をつけることにより、ストッパーが床に当接してからも更に椅子をスイングさせることは可能であり、この場合の最大スイング量は、人の運動エネルギの大きさに依存することになる。
【００１５】
そして、請求項２のようにストッパーを人目に触れる状態で設けることにより、椅子がスイング機能を有することを使用者に視覚的に把握させることができるため、不特定多数の人が使用する椅子として使用しても、人が着座した後に椅子が傾いて戸惑うようなことを防止できる。
【００１６】
すなわち、ストッパーは床から浮いているため、椅子が傾いてストッパーが床に接地することを人に即座に理解させるのであり、このため、人はスイング式の椅子であることを即座に把握して、着座してから戸惑うような事態を防止できるのである。この場合、ストッパーを赤や緑のように目立つ色に形成しておくと、視認性が高まって一層好適である。脚の色と異なる色で、特に暖色系の色を採用すると視認性は高くなるといえる。
【００１７】
請求項３のように、ストッパーの少なくとも下面を曲面に形成すると、製造誤差等でストッパーの姿勢に多少の違いがあったり床に凹凸があったりしても、ストッパーが床に点接触状に当接して安定した当接機能を確保できる。すなわち、取付け誤差等を吸収して、安定した当接状態を確保できる。また、ストッパーを球状に形成すると、ストッパーは膨れた状態になっていて表面積が広がるため、椅子の手前からや横から見たときに視認性を一層向上させることができる。
【００１８】
請求項４のようにねじ込みによって取り付ける方法を採用すると、椅子の組み立てに際して作業の手間を軽減できると共に、破損した場合の交換も容易である。また、ストッパ
ーを椅子の色とは異なる色にするとワンポイントマーク的な美的特徴が生じるが、ユーザーが好みに応じて異なる色のものと交換することも容易になる。更に、高さが相違する複数種類のストッパーを用意しておくと、スイング角度（正確には、最小スイング角度）を変更することも容易に実現できる。
【図面の簡単な説明】
【００１９】
【図１】実施形態を示す図で、（Ａ）は手前から見た斜視図、（Ｂ）は後ろから見た斜視図、（Ｃ）は分離斜視図、（Ｄ）は下方から見た斜視図である。
【図２】（Ａ）は正面図、（Ｂ）は底面図である。
【図３】（Ａ）は側面図、（Ｂ）は背面図、（Ｃ）は要部の分離斜視図である。
【図４】（Ａ）は部分正面図、（Ｂ）は部分側面図、（Ｃ）は図１（Ａ）の矢印IIIC方向から見た斜視図である。
【発明を実施するための形態】
【００２０】
(1).第１実施形態の構造
次に、本願発明の実施形態を図面に基づいて説明する。なお、以下では、方向を特定するため前後・左右の文言を使用するが、この前後・左右は、普通に着座した人の向きを基準にしている。正面視方向は、着座者と対向した方向である。
【００２１】
図２から全体を理解できるが、本実施形態において、椅子は、座１とこれを支持する脚２とを備えている。座１は、木製又は樹脂製の座板３とその上面に張ったクッション材４と備えており、クッション材４は図示しない表皮材で覆われている。座１は、平面視略四角形で四隅に丸みをつけた形態になっている。
【００２２】
そして、座１は（座板３及びクッション材４は）、正面視では上向き凹となるように下向きに緩く湾曲して（凹んで）、縦断側面視では、後端が上向きに緩く湾曲する形態になっている。すなわち、座１の上面（座板３及びクッション材４の上面）は、着座者の臀部及び大腿部との曲面にフィットする凹面になっている。また、座１は、全体的に前傾気味になっている（水平姿勢であってもよいし、後傾姿勢であってもよい。）。なお、座１の後端には、椅子を引っ張って移動する際に使用するベルト製の引手５を設けている。
【００２３】
脚２は金属製のパイプ又は棒材を使用して作られており、床に載る下部枠体６と、下部枠体６における前端部の左右両端から立ち上がった左右の支柱７と、支柱７の上端に設けた上部枠体８とを備えており、上部枠体８にブラケット９を固定し、ブラケット９に座板３を固定している。支柱７の下端は平面視で座１の前端部の箇所に位置しているが、支柱７の上端は、座１の前端よりも少し後ろ（座１の前後中間位置よりも手前）に位置している。従って、支柱７は緩い角度で後傾している。
【００２４】
下部枠体６は、左右横長のフロントメンバー６ａと前後長手の左右サイドメンバー６ｂ、及び、左右のサイドメンバー６ｂの後端に繋がったリアメンバー６ｃとを有しており、サイドメンバー６ｂとリアメンバー６ｃとが連接した後ろコーナー部６ｄは平面視で湾曲している。従って、サイドメンバー６ｂとリアメンバー６ｃとは平面視でＵ型になっている。フロントメンバー６ａとサイドメンバー６ｂとの接続部には、補強部材を固定している。
【００２５】
サイドメンバー６ｂの前端はフロントメンバー６ａに溶接されており、フロントメンバー６ａの左右両端に支柱７を曲げ形成している。上部枠体８は、支柱７の上端を後ろ向きに曲げてから更に内側に曲げることによって形成されている。従って、上部枠体８も、全体として、平面視前向き開口Ｕ形になっている。フロントメンバー６ａは前接地部になっている。
【００２６】
また、図２に明示するように、下部枠体６を構成するフロントメンバー６ａの左右両端部は、平面視で座１の左右外側にはみ出している。このため、スイングに際しても高い安定性を確保できるし、複数の椅子を上下にスタッキングすることができる。すなわち、上段の椅子の下部枠体６を下段の椅子の左右支柱７の間から後ろに嵌め入れて、椅子を上下に積み重ねることができる。従って、不使用時の保管に有利である。
【００２７】
ブラケット９は、平面視で後ろ向きに開口したＵ形の枠体９ａと、枠体９ａから内向き突設したリップ９ｂとから成っており、枠体９ａは上部枠体８に溶接によって固着されて、リップ９ｂが、これに下方から挿通したビスによって座板３に固定されている。本実施形態のようにブラケット９を設けると、上部枠体８を座１の外側に配置しつつ、座１をしっかりと固定できる。また、ブラケット９は支柱７の上端よりも手前に張り出しているため、支柱７を後傾させた状態でも、座１を脚２に強固かつ安定的に固定できる。
【００２８】
下部枠体６のフロントメンバー６ａは正面視で下向き凸のく字形に曲がっており、左右中間部が頂点になっている。この頂点部に、樹脂製の前接地体１０が下方から固定されている。他方、下部枠体６のうち後ろ接地部となるリアメンバー６ｃは、平面視で前向き凹状に緩く湾曲しており、サイドメンバー６ｂと滑らかに連続している。リアメンバー６ｃには、樹脂製の後ろ接地体１１が下方から固定されており、後ろ接地体１１は後ろコーナー部６ｄまで及んでいる。
【００２９】
図３（Ｂ）及び図４（Ａ）に示すように、リアメンバー６ｃ（或いは後ろ接地体１１）は、背面視（及び正面視）で下向き凸状に緩く湾曲しているが、リアメンバー６ｃの曲がりの程度はフロントメンバー６ａの曲がり角度よりも緩くなっている。つまり、リアメンバー６ｃの左右端部の高低差は、フロントメンバー６ａの左右両端の高低差よりも小さくなっている。これらフロントメンバー６ａとリアメンバー６ｃとの下面の形態の違いにより、椅子を全体として左右にスイングさせる（傾動させる）ことができる。
【００３０】
図４（Ｂ）に示すように、後ろコーナー部６ｄは、側面視では上向き凸状に緩く湾曲して見える（反って見える）が、図４（Ｃ）に示すように、対角方向から見ると、下向き凸状に緩く湾曲している。このような見え方の違いは、後ろコーナー部６ｄが平面視で湾曲していることに起因している。そして、後ろコーナー部６ｄは対角方向から見て下向き凸状に緩く湾曲しているため、椅子のスイングに際しては、リアメンバー６ｃ（後ろ接地体１１）は、床に滑らかに接地していく（換言すると、床に対する後ろ接地体１１の接地点が滑らかに移動しながらスイングしていく。）。
【００３１】
フロントメンバー６ａの左右端部には、スイングしきった状態で床に当接するストッパー１２を下向きに突設している。従って、ストッパー１２と床との高低差が、スイングの最大高低差になっている。ストッパー１２は樹脂製で球状に形成されており、フロントメンバー６ａの左右端部に設けたボルト（ビス）１３にねじ込みによって取付けている。ボルト１３は、いわゆるホーローセットを使用している。ストッパー１２には、金属製のナットをインサート成形によって埋設している。また、ストッパー１２は、フロントメンバー６ａとサイドメンバー６ｂとの連接部であるフロントコーナー部の近傍に位置しているが、サイドメンバー６ｂの前端部に取り付けることも可能である。
【００３２】
フロントメンバー６ａにブラインドナット等を設けて、ストッパー１２にボルトを設けることも可能である。この場合は、ストッパー１２には、ボルトをインサート成形等で一体化したらよい。ストッパー１２を金属製として、これをゴム等の緩衝材で覆うといったことも可能であり、この場合は、雌ねじ又は雄ねじをストッパーに一体化したらよい。
【００３３】
なお、リアメンバー６ｃは、正面視（及び背面視）で台形状に形成したり、く字形に曲げたりすることも可能ある。或いは、全体を水平状に形成することも可能である。
【００３４】
(2).まとめ
以上のとおり、着座者が身体を左右に揺すると椅子が左右にスイングするため、椅子を振動具として使用して、リラックスしたり緊張をほぐして血行を促進させたりすることができる。両足を下部枠体６のフロントメンバー６ａに載せると、スイングをダイナミックに行うことができるが、支柱７は後傾しているため、着座者が下部枠体６のフロントメンバー６ａに足を載せても足が支柱７に当たることはなくて、使い勝手がよい。
【００３５】
本実施形態では、フロントメンバー６ａの曲がりの程度がリアメンバー６ｃの曲がりの程度よりも急激であるため、スイングに際しては、フロントメンバー６ａの変位量がリアメンバー６ｃの変位量よりも大きくなる。このため、座１は（或いは着座者は）、左右外側に移動（傾動）しつつ前方にも移動する動きをする。このため、人は、いつでも足を床に突っ張れるように身構えたような状態でスイングすることができる。従って、安定性を確保しつつ、ダイナミックにスイングできる。
【００３６】
また、フロントメンバー６ａが回動しきるとストッパー１２が床に当たるため、スイング角度を正確に規定して、惰性で回動することを防止できる。すなわち、メリハリの利いたスイングを実現できる。
【００３７】
座１の上面は下方に凹んでいて着座者の身体がフィットするため、僅かの重心の移動によって座１が傾くことはない。従って、作業や執務を行うにおいて、着座者は、無意識に足に力を掛けることなく、力を抜いた自然な状態で正しい姿勢を採ることができて、凝りや疲れを防止できる。
【００３８】
他方、例えば気分転換などのためにアクティブにスイングする場合も、座１が身体にフィットしているため、身体がダイナミックに動いても座１から振り落とされるような傾向を呈することはなくて、スイング運動を安心して行うことができる。更に、見た目においてもフィット性を把握できて違和感なく使用できるため、作業用や学習用などに幅広く使用できる。
【００３９】
そして、ストッパー１２はフロントメンバー６ａの左右端部にあって人目につくが、ストッパー１２が床から浮いていることから、この椅子を初めて見た人であっても、スイング式であることを即座に理解できる。従って、腰掛けてから身体を動かすことによって椅子が揺れても戸惑うことはなくて、逆にスイングを楽しむことができる。
【００４０】
本実施形態のように、リアメンバー６ｃを平面視略Ｕ形に形成すると、床との接地長さを長くできるため、スイングの動きをスムース化できる。また、既述のとおり、リアメンバー６ｃや後ろコーナー部６ｄは下向き凸状に緩く湾曲していて、スイングに際して接地点が滑らかに移動していくため、滑らかなスイング動を実現できる。
【００４１】
さて、既に述べたように、正面視において、リアメンバー６ｃの曲がりの程度はフロントメンバー６ａの曲がりの程度よりも緩く、従って、図４（Ａ）（Ｃ）に示すように、リアメンバー６ｃと床との最大高低差Ｈ１は、ストッパー１２と床との高低差Ｈ２よりも小さい。本実施形態では、Ｈ２はＨ１の１．５倍前後になっている。このように高低差があるため、後ろ接地体１１の終端とストッパー１２とを結ぶ線１４は、床面に対して少し傾斜している。
【００４２】
そして、ストッパー１２はスイングの最終段階で床に当たるが、ストッパー１２が床に
当るまでの間は、椅子はフロントメンバー６ａの中間部と後ろ接地体１１との二点支持の状態になっており、通常は、フロントメンバー６ａの中間部と、後ろ接地体１１の端部と、ストッパー１２とが床に当たって三点支持状態になるとスイングは停止する。この場合、ストッパー１２が点当たり状態で床に当接することにより、スイング角度が規定される。
【００４３】
また、後ろ接地体１１の最大高さＨ１（正確には、後ろ接地体１１の最終接地位置の最大高さでＨ１より小さい）とストッパー１２の高さＨ２とが相違しているため、二点支持から三点支持に至る段階では、椅子は、左右方向にはあまり傾動せずに手前に傾く傾向を呈する。従って、後ろ接地体１１が床に接地した状態で、ストッパー１２の接地に滑らかに移行する。
【００４４】
この場合、スイングに際して後ろ接地体１１の接地位置は後ろコーナー部６ｄに向けて移動していくが、椅子の前端の回動支点は前接地体１０の箇所で一定しているので、椅子の回動中心線は、図２（Ｂ）において符号１5で示す完全な前後長手の姿勢から、符号16
で示す平面視傾斜姿勢に移行していく。従って、椅子(及び身体)は、左右方向に回動しつつ手前側にも回動しており、従って、ストッパー12が床に当接する状態にスムースに移行していく。また、後ろ接地体１１は平面視で円弧条に湾曲しているため、左右動しつつ前傾動する動きが非常に滑らかになっている。
【００４５】
これらにより、ストッパー１２が床に当接したときにガタンといった感じで止まることはなくて、滑らかでしかも安全なスイングを実現できる。また、H１とＨ２との高低差に
より、二点支持状態から三点支持状態に移行するにおいて、前傾傾向が強くなり、これにより、スイングの勢いが殺されて安全性が高くなる。なお、後ろ接地体１１の最終接地位置高さとストッパー１２の高さとは同じであってもよいし、いずれにおいても、ストッパー１２の位置はどこでも良い。
【００４６】
通常の使用状態では、ストッパー１２が接地するとスイングは停止するが、使用者がよりアクティブな動きを求めて身体を非常に大きく揺すると、ストッパーで規制される角度以上にオーバースイングさせることが可能である。このオーバースイング状態では、椅子及び身体は、後ろ接地体１１の端部とストッパー１２とを結ぶ線を中心にして、２点支持の状態で回動するが、後ろ接地体１１とストッパー１２とを結ぶ線は前後長手になっているので、ほぼ左右方向に回動することになる。そして、着座者の自重による戻り力と、スイングによる運動エネルギとが釣り合った時点でオーバースイングは停止し、戻り回動することになる。
【００４７】
本願発明は、他にも様々に具体化できる。例えば、脚の下端部は実施形態のようなフレーム構造でなくてもよいのであり、板状の形態なども採用可能である。また、支柱を脚の中間部に設けることなども可能である。背もたれ付きの椅子にも適用できる。実施形態のストッパーは樹脂の単一構造品であるが、外周部をゴム等の軟質材で構成することも可能である。また、左右のストッパーをそれぞれ前後に並んだ複数個ずつで構成して、複数個のストッパーを同時に接地させるといったことも可能である。或いは、複数のストッパーを順番に接地させることも可能である。
【産業上の利用可能性】
【００４８】
本願発明は、実際に椅子に具体化できる。従って、産業上利用できる。
【符号の説明】
【００４９】
１  座
２  脚
３  座板
６  脚を構成する下部枠体
６ａ  下部枠体のフロントメンバー
６ｂ  下部枠体のサイドメンバー
６ｃ  下部枠体のリアメンバー
６ｄ  後ろコーナー部
５  脚を構成する支柱
６  脚を構成する上部枠体
７  ブラケット
１０  前接地体
１１  後ろ接地体
１２  ストッパー
１３  ボルト
【図１】
2020039985.tif 000003
【図２】
2020039985.tif 000004
【図３】
2020039985.tif 000005
【図４】
2020039985.tif 000006
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
座とこれを支持する脚とを備えており、前記脚の下端面を、左右中間部に頂点が位置した正面視下向き凸状に形成することにより、前記座と脚とが一体になって左右にスイングできる構成であって、
前記脚の下端面の左右両側部に、床に当接するストッパーを下向きに突設している、
椅子。